【事件の表示】
　特許第２７４９４７３号「ワイヤー・テンション・システムによるプリーツ状スクリーン装置」の特許に対する特許異議の申立てについて、次のとおり決定する。
【結　論】
　訂正を認める。
　特許第２７４９４７３号の請求項１ないし３に係る特許を維持する。
【理　由】
１．手続の経緯
　本件特許第２７４９４７３号の請求項１〜３に係る発明は、平成３年１２月２６日に特許出願され、平成１０年２月２０日にその特許の設定登録がなされ、その後、異議申立人小野里勝雄より特許異議の申立てがなされ、取消理由通知がなされ、その指定期間内である平成１１年５月１８日に訂正請求（後日取下げ）がなされた後、再度取消理由通知がなされ、その指定期間内である平成１２年２月１５日に訂正請求がなされたものである。
　
２．訂正の適否についての判断
（１）訂正請求の内容
  特許権者が求める特許明細書の訂正は、次の訂正からなる。
　訂正事項ａ：
　特許請求の範囲の請求項１〜２の記載を、
　「【請求項１】対向する一対の枠部を上下および左右に各々設けた枠体と、ワイヤ一部材を方向転換させる複数の方向転換手段を内蔵し、かつ開閉方向にスライド移動自在なスライドバーと、一端部をスライドバーに、他端部をスライドバーに対向する１つの枠部に支持された、複数のプリーツ部を有する折り畳みおよび展開自在なプリーツ状スクリーン部材と、このプリーツ状スクリーン部材をその開閉方向に支持し、スライドバーの内部において内蔵された方向転換手段により折り返され、交差し、かつ開閉方向の一対の枠部内に１本ずつ挿通するように、対向する一対の枠部間に張設された２本の前記ワイヤ一部材とからなることを特徴とするワイヤ一・テンション・システムによるプリーツ状スクリーン装置。
　【請求項２】２本のワイヤ一部材の間でプリーツ状スクリーン部材を開閉方向に貫通し、スライドバーの内部において内蔵された方向転換手段により折り返され、かつ開閉方向の枠部内に挿通するように、対向する一対の枠部間に張設した１本以上の中間ワイヤ一部材を設けてなる請求項１のプリーツ状スクリーン装置。」から、
　「【請求項１】対向する一対の枠部を上下および左右に各々設けた枠体と、ワイヤ一部材を方向転換させる複数の方向転換手段を内蔵し、かつ
水平
ネットからなる
水平
上下
され
左右
の各々に個別に固定されてこれら枠部
、プリーツ状スクリーン部材の上端部に自重により当接するシーリングパネル
　【請求項２】２本のワイヤ一部材の間でプリーツ状スクリーン部材を
支持
上下
され
左右
され
　訂正事項ｂ：
　特許掲載公報第２欄第１５行〜第３欄第２行（段落【０００１】）及び同第４欄第１３〜１４行（段落【０００７】）の「かつカーテン、ブラインド、間仕切、網戸等の広範囲にわたっての利用を可能とした新しい」を、「かつ網戸として利用可能な」に訂正する。
　訂正事項ｃ：
　特許掲載公報第３欄第９行、１０行（段落【０００２】）及び同第３欄第２４行（段落【０００３】）の「図１１」を「図９」に訂正する。
　訂正事項ｄ：
　特許掲載公報第３欄第３０〜３２行（段落【０００４】）の「たとえば図１２および図１３に示したようなプリーツスクリーン装置が提案されてもいる。図１１に例示した」を、「たとえば図１０および図１１に示したようなプリーツスクリーン装置が提案されてもいる。図１０に例示した」に訂正する。
　訂正事項ｅ：
　特許掲載公報第３欄第３９行の「図１３」を「図１１」に、同欄第４３行（段落【０００５】）の「図１１」を「図９」に訂正する。
　訂正事項ｆ：
　特許掲載公報第４欄第１〜２行（段落【０００６】）の「図１２および図１３」を「図１０および図１１」に訂正する。
　訂正事項ｇ：
　特許掲載公報第４欄第４行（段落【０００６】）の「窓枠開口部、間仕切開口部等」を「窓枠開口部」に訂正する。
　訂正事項ｈ：
　特許掲載公報第４欄第２１〜３２行（段落【０００８】）の「かつ開閉方向にスライド移動自在なスライドバーと、一端部をスライドバーに、他端部をスライドバーに対向する１つの枠部に支持された、複数のプリーツ部を有する折り畳みおよび展開自在なプリーツ状スクリーン部材と、このプリーツ状スクリーン部材をその開閉方向に支持し、スライドバーの内部において内蔵された方向転換手段により折り返され、交差し、かつ開閉方向の一対の枠部内に１本ずつ挿通するように、対向する一対の枠部間に張設された２本の前記ワイヤ一部材とからなることを特徴とするワイヤ一・テンション・システムによるプリーツ状スクリーン装置を提供する。」を、「かつ
水平
ネットからなる
水平
上下
され
左右
の各々に個別に固定されてこれら枠部
、プリーツ状スクリーン部材の上端部に自重により当接するシーリングパネル
　訂正事項ｉ：
　特許掲載公報第４欄第４０〜４１行（段落【００１０】）の「これらの例は、水平方向に開閉自在としたプリーツ状スクリーン装置を示したものである。」を削除する。
　訂正事項ｊ：
　特許掲載公報第５欄第２４〜２７行（段落【００１２】）の「プリーツ状スクリーン部材（１３）の材質については特に制限はなく、プリーツ（１２）を形成することのできる織布、シート、フィルム、ネット等の適宜なものとすることができる。」を、「プリーツ状スクリーン部材（１３）はネットからなる。」に訂正する。
　訂正事項ｋ：
　特許掲載公報第５欄第３０行の「そのプリーツ状」を「プリーツ状」に、同欄第４０行（段落【００１３】）の「枠部（３）に固定されている。」を「枠部（３）に個別に固定されている。」に、それぞれ訂正する。
　訂正事項ｌ：
　特許掲載公報第６欄第２〜５行（段落【００１４】）の「そして、枠部（４）の内部において固定金具（１８）により固定されている。これらのワイヤー部材（１５）（１６）の材質についても格別の限定はなく、」を「そして、枠部（４）の内部において固定金具（１８）により上側のワイヤ一部材（１５）とは別個に固定されている。これらのワイヤー部材（１５）（１６）の材質については特に制限はなく、」に訂正する。
　訂正事項ｍ：
　特許掲載公報第６欄第１５〜１８行の「上側の枠部（１）の内部に、密閉性を向上させるためのシーリングパネル（１９）をその自重によりプリーツ状スクリーン部材（１３）の上端緑部に当接させてもいる。」を「上側の枠部（１）の内部に、網戸としての使用を考慮し、密閉性を向上させるために、シーリングパネル（１９）をその自重によりプリーツ状スクリーン部材（１３）の上端緑部に当接させてもいる。」に、同欄第４９行（段落【００１５】）の「形成」を「開放」に、それぞれ訂正する。
　訂正事項ｎ：
　特許掲載公報第７欄第５〜６行の「上記したように」を「上記したような」に、同欄第１８行（段落【００１６】）の「揺動刷る」を「揺動する」に、それぞれ訂正する。
　訂正事項ｏ：
　特許掲載公報第７欄第２６〜２７行（段落【００１７】）の「することができ、たとえば窓枠開口部、間仕切開口部等に配設した場合に、」を「することができ、窓枠開口部に配設した場合に、」に訂正する。
　訂正事項ｐ：
　特許掲載公報第７欄第３４〜３５行（段落【００１８】）の「中央部で支持する１本の中間ワイヤー部材（２１）を配設している。」を「中央部で支持する中間ワイヤー部材（２１）を１本配設している。」に訂正する。
　訂正事項ｑ：
　特許掲載公報第８欄第１行及び第７〜８行の「中間ワイヤー部材（１８）」を「中間ワイヤー部材（２１）」に、同欄第５〜６行の「その材質により温度等の影響による変形する」を「温度等の影響を受けて変形する」に、同欄第１７行の「内部の、中間ワイヤー」を「内部の中間ワイヤー」（段落【００１８】）に、それぞれ訂正する。
　訂正事項ｒ：
　特許掲載公報第９欄第６行（段落【００２３】）の「これとは反対に、」を「一方、」に訂正する。
　訂正事項ｓ：
　特許掲載公報第９欄第１４行（段落【００２３】）の後に、「これらワイヤ一部材（１５）（１６）は、枠部（３）（４）に個別に固定される。」を追加する。
　訂正事項ｔ：
　特許掲載公報第９欄第２７行〜第１０欄第６行（段落【００２５】〜【００２８】）の「【００２５】さらにこの発明においては、図１、図４および図６に例示した装置と同様の構成および構造で垂直方向に開閉自在なプリーツ状スクリーン装置とすることも可能である。これについて例示したものが図９および図１０である。これらの図９および図１０に例示したように、この発明においては、プリーツ状スクリーン部材（１３）を上方から引き下げ、あるいはまた下方から引き上げ、展開させて、開口部（２０）を遮蔽することができる。なお、この場合には、戸車（１１）およびシーリングプレート（１３）は必ずしも必要でないことから、省略することが可能である。
【００２６】以上に例示したこの発明のプリーツ状スクリーン装置は、一般の窓用のカーテンやブラインドの他、天窓等の傾斜窓や車両用窓のカーテンやブラインド40としても、また、住宅、オフィスビル等の間仕切としても利用することができる。さらには、衝立、防虫用の網戸などとして利用することも可能である。なお、スライドバー（５）のスライド移動は、取っ手（１０）による人手の他に、従来のような操作コードや、適宜な駆動手段を組み込んで電動駆動させる電動方式などの任意のものを採用することができる。
【００２７】もちろんこの発明は、以上の例によって限定されるものではない。細部については様々な態様が可能であることはいうまでもない。
【００２８】【発明の効果】以上詳しく説明した通り、この発明によって、スムーズな開閉操作を簡便かつ容易に行うことができ、かつカーテン、ブラインド、間仕切等の広範囲にわたっての利用を可能としたプリーツ状スクリーン装置が提供される。」を、
「【００２５】以上に例示したこの発明のプリーツ状スクリーン装置は、防虫用の網戸としての利用が可能となる。なお、スライドバー（５）のスライド移動には、取っ手（１０）による人手の他に、従来のような操作コードや、適宜な駆動手段を組み込んで電動駆動させる電動方式などの任意のものを採用することができる。
【００２６】もちろんこの発明は、以上の例によって限定されるものではない。細部については様々な態様が可能であることはいうまでもない。
【００２７】以上詳しく説明した通り、この発明によって、スムーズな開閉操作を簡便かつ容易に行うことができ、かつ網戸として利用可能なプリーツ状スクリーン装置が提供される。」に訂正する。
　訂正事項ｕ：
　特許掲載公報第１０欄第２４〜３４行（【図面の簡単な説明】）の
「【図９】垂直開閉方式のこの発明のワイヤ-・テンション・システムによるプリーツ状スクリーン装置を例示した正面図である。
【図１０】垂直開閉方式のプリーツ状スクリーン装置の別の例を示した正面図である。
【図１１】従来のプリーツスクリーン装置を例示した正面図である。
【図１２】従来のプリ-ツスクリーン装置を例示した斜視図である。
【図１３】従来のプリーツスクリーン装置を例示した斜視図である。」を、
「【図９】従来のプリーツスクリーン装置を例示した正面図である。
【図１０】従来のプリーツスクリーン装置を例示した斜視図である。
【図１１】従来のプリーツスクリーン装置を例示した斜視図である。」に訂正する。
　訂正事項ｖ：
　添付図面の【図９】及び【図１０】を削除し、【図１１】を【図９】に、【図１２】を【図１０】に、【図１３】を【図１１】に、それぞれ訂正する。
　
（２）訂正の目的の適否、新規事項の有無及び拡張・変更の存否
　まず、上記訂正事項ａについて検討する。
　上記訂正事項ａは、本件特許明細書の特許請求の範囲の請求項１に記載されていた「ワイヤ一・テンション・システムによるプリーツ状スクリーン装置」を以下の（ア）ないし（オ）の点で技術的に具体化し限定しようとするものであり、さらに、請求項２に記載されていた、中間ワイヤー部材の配設方法について、以下の（カ）（キ）の点で技術的に具体化し限定しようとするものである。
　（ア）スライドバーは水平方向にスライド自在である。
　（イ）プリーツ状スクリーン部材はネットからなる。
　（ウ）ワイヤー部材は、プリーツ状スクリーン部材を水平方向に支持する。
　（エ）スライドバー内部において方向転換手段により折り返され、交差するワイヤー部材は、上下一対の枠部内に挿通され、左右一対の枠部の各々に個別に固定される。
　（オ）プリーツ状スクリーン部材の上端部にシーリングパネルがその自重により当接する。
　（カ）中間ワイヤー部材は、プリーツ状スクリーン部材を支持している。
　（キ）スライドバー内部において方向転換手段により折り返された中間ワイヤー部材は、上下の枠部内に挿通され、左右一つの枠部間に配設される。
　
　上記（ア）の訂正は、特許掲載公報第４欄第４５〜４６行の「スライドバー（５）を水平方向にスライド移動自在に配設している。」との記載、図面の【図１】、【図４】〜【図８】の記載に基づくものであり、特許請求の範囲の減縮に該当する。
　上記（イ）の訂正は、特許掲載公報第５欄第２４〜２７行の「プリーツ状スクリーン部材（１３）の材質については特に制限はなく、プリーツ（１２）を形成することのできる織布、シート、フィルム、ネット等の適宜なものとすることができる。」との記載に基づくものであり、特許請求の範囲の減縮に該当する。
　上記（ウ）の訂正は、特許掲載公報第５欄第２８〜３２行の「図１に示したように、プリーツ状スクリーン部材（１３）には、これを支持する上下一対のワイヤー部材（１５）（１６）が、そのプリーツ状スクリーン部材（１３）の開閉方向、すなわち平方向に張設されている。」との記載、及び図面の【図１】〜【図８】の記載に基づくものであり、特許請求の範囲の減縮に該当する。
　上記（エ）の訂正は、特許掲載公報第５欄第４１行〜第６欄第２行の「上側のワイヤー部材（１５）は、・・・下側のガイド用枠部（２）内を挿通する。・・・下上側のワイヤー部材（１６）は、・・・上側の枠部（１）内部を挿通する。」との記載、及び【図１】、【図４】および【図６】の記載に基づくものであり、特許請求の範囲の減縮に該当する。
　上記（オ）の訂正は、特許掲載公報第６欄第１５〜１８行の「上側の枠部（１）の内部に、密閉性を向上させるためのシーリングパネル（１９）をその自重によりプリーツ状スクリーン部材（１３）の上端緑部に当接させてもいる。」との記載、及び【図１】、【図４】および【図６】の記載に基づくものである。
　ところで、上記（イ）の訂正によるプリーツ状スクリーン部材がネットからなるいうことは、とりもなおさず、プリーツ状スクリーン装置が網戸として利用可能であることを意味する。（特許掲載公報第４欄第１３〜１４行の「カーテン、ブラインド、間仕切、網戸等の広範囲にわたっての利用を可能とした・・・プリーツ状スクリーン装置」との記載参照。）
　そして、網戸の機能は、換気等のために窓を開放する際に、通気性は阻害せずに、外部より虫が室内に侵入するのを防止することにある。したがって、網戸は、単にネットを備えているだけで必要かつ十分であるとは言えず、窓枠開口部に隙間が形成されないという密閉性も必要不可欠な特性として要求される。（オ）の訂正により、密閉性の向上という新たな目的・効果が付加されることとなるが、この密閉性の向上という目的・効果は、網戸として利用可能という目的・効果に内在し、その前提条件というべきものである。
　してみると、（オ）の訂正は、特許請求の範囲の減縮に該当する。
　次に、（カ）の訂正は、特許掲載公報第７欄第３４〜３５行の「プリーツ状スクリーン部材（１３）の中央部で支持する１本の中間ワイヤ一部材（２１）を配設している。」との記載に基づいくものである。中間ワイヤ一部材に関し、貫通に対応する記載が訂正前明細書の【発明の詳細な説明】にはないので、この訂正は、誤記の訂正もしくは明りようでない記載の釈明に該当する。
　さらに、（キ）の訂正は、特許掲載公報第７欄第３９〜５０行の「中間ワイヤー部材（２１）の一端部は、プリーツ状スクリーン部材（１３）固定用の枠部（３）に・・・固定されている。また、この中間ワイヤー部材（２１）は、・・・上側の枠部（４）に固定されている。」との記載、及び【図４】〜【図６】の記載に基づくものであり、明りょうでない記載の釈明及び特許請求の範囲の減縮に該当する。
　
　また、上記訂正事項ｂ〜ｖは、上記訂正事項ａによる特許請求の範囲の訂正に対応して明細書の記載を整合させる訂正であり、明りようでない記載の釈明に該当する。
　
　そして、上記ａ〜ｖの訂正事項は、願書に添付した明細書又は図面に記載した事項の範囲内のものであり、また、特許請求の範囲を拡張しまたは変更するものではない。
　
（３）独立特許要件の判断
  当審の取消理由で引用した刊行物は、下記刊行物１ないし刊行物５である。
　［引用刊行物］
　刊行物１：特開昭６２−１４８７９１号公報
　刊行物２：米国特許第４４７３１０１号明細書（１９８４年）
　刊行物３：米国特許第４２０２３９５号明細書（１９８０年）
　刊行物４：実公昭５８−２９７４６号公報
　刊行物５：実公昭６４−２９５９号公報
　
　刊行物１〜５には、それぞれ下記の事項が記載されている。
　［刊行物１］
　「第１３図および第１４図に示すように、従来の手動式プリテッドシェード１は、蛇腹形に折り曲げられた一枚のプリテッドシェードシート２は一端において固定部材３，他端において開閉部材４に取り付けられる。固定部材３は両端において２本の平行な機５，５に固定され開閉部材４は機５，５上に走行可能に載置される。第１移動用紐６の一端は一方の機５の一端６ａに結合され、開閉部材４の一端に配設された２個のプーリ６ｂ，６ｃに接し、反対端近傍のプーリ６ｄに接し、プリテッドシェードシート２の孔２ａを通って、固定部材３上の２つのプーリ３ａ，３ｂに当接し、固定ビーム３上のスプリング７の一端に結合される。第１移動紐６と対称に第２移動紐６’も同様に構成される。・・・すなわち開閉部材４は移動紐６，プーリ６ｂ，６ｃ，６ｄおよび３ａ，３ｂを介しまたスプリング７により開閉部材４の軸方向に関しこれと直角の両方に常に引かれて平衡を保っているからである。」（第２頁右上欄第６行〜左下欄第９行）。
　［刊行物２］
　「この発明は、窓用の日除けに関する。」（第１欄第８〜９行）、
　「全ての図において、日除けの有形の頂部バーは参照符号１で示され、有形の底部バーは２，日除け部材は３，側部ガイドは４で示されている。・・・実施例において、日除け部材３はプリーツ状のポリエステル布からなる。」（第３欄第２６〜３９行）、
　「第３図の実施例に基づく日除けも中央ガイドを含んでいる。この場合、４本のコードＡ，Ｂ，Ｃ，Ｄが用いられる。側部ガイドコードＡは有形のバー２内のＡ１で固着され、底部バー２内をＡ２まで通り、Ａ２で底部バー２を離れ下方に下り、ピンＡ３を廻って上方にＡ２へと向かう。コードは有形の底部バー２２をＡ２からＡ４に向かい、Ａ４で底部バー２から離れ、日除け部材３内を通って上方にＡ５に向かう。Ａ５で頂部バー１内に入り、頂部バー１内を通ってＡ６に向かう。Ａ６で頂部バー１を離れ、下方に日除け部材３内を通ってＡ７に向かう。その結果、コードはＡ７で底部バー２に入り、その内部を通ってＡ１に向かい、そこでコードは固着される。
　また、点Ａ１の近くでスプリング部材６がコードＡ内に取り付けられる。中央ガイドコードＢが有形の頂部バー１内の点Ｂ１で固着され、頂部バー１内をＢ２まで延び、Ｂ２で頂部バー１を離れ、日除け部材３の中央孔を下方にＢ３まで通過し、Ｂ３で有形の底部バー２に入り、底部バー２内をＢ４まで向かう。その結果、コードはＢ４で底部バー２を離れ、下方にピン５まで向かい、Ｂ５で前記ピンに固着される。コードＢ内にもスプリング部材６が設けられる。
　コードＣはコードＢに対称に設けられる。コードＤはコードＡに対称に設けられる。・・・この実施例は、側部のガイド機能を果たす２本のコードＡとＤ、及び中央ガイドの機能をもつ２本のコードＢとＣを有することに特徴がある。」（第４欄第３９行〜第５欄第７行）。
　［刊行物３］
　「何点かの図面で示されるように、このシェード構造１０は一対の上下シェードバー２０，２２と折り畳まれ垂直に拡げられるシェード体２４とシェードバーに用いられる平行四辺形コード（紐）システム２６とをそれぞれ含む。」（第２欄第３６〜４０行）、
　「好ましくは１本の単一長さのコードである平行四辺形のコードシステム２６は、ガイド部材１２の最下端部もしくはそれに近接して取り付けられたピン又は留め具６６に強固に固定された基端部、そこから溝１２内を通って上方に延び、シェードバー２２の左端で溝付きローラ４０の４分の１円上を廻っている第１のコード部分６８、シェードバー２２に沿って長さ方向に延びシェードバーの右端３８で溝付きローラ３９の４分の１円の下側を廻っている第２のコード部分７０から成る。コードシステムは、溝１４の範囲内で上方に延び、上方シェードバー２０の右端３８の溝付きローラ４０の４分の１円の上方部を廻る第３のコード部分７２、そこからシェードバー２０に沿って長さ方向に延び、上方シェードバー２０の左端において溝付きローラ３９の下側の４分の１円を廻る第４のコード部分が続いている。そこから、コードシステムは、溝部材１２の上端部又はフレーム１６に固定されたピン又はピボット７８へ延びる第５のコード部分７６、さらにそこから溝ガイド部材の中間のフレーム１６に固定されコードが結着されているピン又は固定具８２に延びる第６コード部分８０として続いている。この点で又はピボット７８もしくは８３にコードを結ぶことで、コードシステムはシェードバー２０，２２が巻き上げられるにつれての動きに対して実質的に動かない。このようなコードの結着は、コードシステムをシェードバーのローラに対してピンと張った状態に維持するのにも役立つ。
　その後、コードシステム２６は、第７のコード部分８４としてピボット８３から下方に溝１４内を進み、上方シェードバー２０の右端３８でローラ３９の下側４分の１円の下側を廻り、第８のコード部分８６してシェードバーに沿って長さ方向に第４のコード部分７４と交差して延び、上方シェードバーの左端３８で溝付きローラ４０の４分の１円の上側を廻っている。そこから、第９のコード部分８８は溝１２内を下方に延び下方シェードバー２２の左端３８でローラ３９の下側４分の１円の下側を廻り、第１０のコード部分９０は下方シェードバーに沿って第２のコード部分７０と交差して延び、下方シェードバー２２の右端３８で溝付きローラ４０の上側４分の１円を廻る。最後に、第１１のコード部分９２は溝１４内を下方に、コード末端部９６が結び固定される溝下端部の固定ピン９４又は他の適切な固定具に向かって延びる。」（第３欄第５５行〜第４欄第３４行）。
　［刊行物４］
　「本考案は・・・折畳み型の防虫網戸に関する」（第１欄第３３、３４行）、
　「この両ガイドレール１４，１４に案内子２５を滑合せしめて両案内支持体１０，１０間に適宜幅に折曲げてジグザグ状に形成した所謂アコーデオン形の網戸２０を装備したのである。」（第３欄第５〜８行）、
　「網戸２０の使用時季には可動側端部を・・・ガラス戸２戸枠外面に・・・連結し・・・、該ガラス戸をレールに沿って開けば、網戸２０は格納部３０から順次引出され、・・・拡開する。」（第４欄第８〜１７行）、
　「そしてガラス戸２を閉じれば網戸２０は該ガラス戸と共に格納部３０内に移行し、ここでは他端が固定されているからこの格納部３０内に自動的に折畳まれ、嵩低く収納されるのである。」（第４欄第３２〜３６行）。
　［刊行物５］
　「一方の網戸竪枠１７と対向して可動部材２２が他方の網戸竪枠１８と当接可能に配置され、網戸竪枠１７および可動部材２２には開口部が対向する横断面ほぼ溝形部１７ａおよび２２ａが形成され、これらの溝形部１７ａ，２２ａの底に網押え２３，２４によって可撓性を有する網２５の一端部、他端部が固定されている。網戸竪枠１７の溝形部１７ａは可動部材２２の溝形部２２ａよりも長さおよび幅が小さく、溝形部１７ａが溝形部２２ａ外側に離脱可能に嵌合されて第５図に示すような箱形横断面部を形成されるように構成され、溝形部１７ａの側壁外面には係合受部１７ｂが開口部近くに突設され、溝形部２２ａの側壁内面には係合部２２ｂが開口部近くに形成され、係合部２２ｂが係合受部１７ｂに係脱可能に係合されるようになっている。」（第３欄第３０行〜第４欄第１行）、
　「第５図に示すように、網戸竪枠１７の溝形部１７ａと可動部材２２の溝形部２２ａが嵌合して構成された箱形横断面部内に、網２５が室内、室外側に交互に曲げ部が形成されて折畳まれた状態で収納され、係合部２２ｂが係合受部１７ｂに係合されていることにより、溝形部１７ａと２２ａが嵌合状態に保持される。このため、ガラス戸の閉時に不使用状態になっている網戸は、網２５が外部から見えないので体裁がよく、しかも網２５は、網戸竪枠１７と可動部材２２で囲まれた内部に収納されているので、ほこりやごみが付着しにくいことで、汚れることが少なく、また他の物体が当って破損することもなく、したがって、冬季など長期間使用しない場合でも、窓枠１１から網戸を取外す必要がない。」（第４欄第１６〜３０行）。
　
（対比・判断）
　先ず、本件請求項１に係る発明と刊行物１ないし刊行物５に記載の発明とを対比すると、いずれの刊行物にも、本件請求項１に係る発明を特定する事項である「ネットからなるプリーツ状スクリーン部材の上端部に自重により当接するシーリングパネルとからなる」点を備えておらず、この点により請求項１に係る発明は、「密閉性を向上させた網戸として利用可能なプリーツ状スクリーン装置が提供される」という格別な効果を奏するものである。
　
　したがって、本件請求項１に係る発明及び請求項１を引用する本件請求項２〜３に係る発明は、上記刊行物１ないし刊行物５に記載のものから容易に発明をすることができたものとはいえない。
　よって、本件請求項１〜３に係る発明は特許出願の際独立して特許を受けることができるものである。
　
（４）むすび
　以上、上記訂正は、特許法等の一部を改正する法律（平成６年法律第１１６号）附則第６条第１項の規定によりなお従前の例によるとされる、平成６年改正前特許法第１２６条第１項ないし第３項の規定に適合するので、当該訂正を認める。
　
３．特許異議の申立てについての判断
（１）申立ての理由の概要
　特許異議申立人小野里勝雄は、甲第１号証（実願昭６２−６４９４６号（実開昭６３−１７１５９５号公報）のマイクロフィルム）、甲第２号証（前記刊行物１）、甲第３号証（前記刊行物４）及び甲第４号証（前記刊行物５）を提出し、訂正請求前の特許請求の範囲の請求項１〜３に係る発明は、甲第１号証ないし甲第４号証に記載された発明に基づいて当業者が容易に発明をすることができたものであるから、特許法第２９条第２項の規定により、特許を受けることができないものであり、特許を取り消すべき旨主張している。
　
（２）判断
　前記甲第１号証には、下記の点が記載されている。
　「本考案はプリテッドシェードに関する。」（第３頁第１４行）、
　「第１図〜第５図に示すように、蛇腹状に折りたたみ可能なシェードシート１の一端を固定部材２に固定すると共に他端には開閉部材３が取付けられている。前記固定部材２の両端には２本の平行な枠体４，４の一端が連結され、枠体４，４の他端には駆動箱５が連結されて、固定部材２と枠体４，４と駆動箱５により窓枠６を構成している。」（第６頁第１０〜１７行）、
　「前記シェードシート１の両端には孔９を介し第１と第２の移動用紐１０，１１が折りたたみ方向に挿通しており、両移動用紐１０，１１の一側は挿通後孔１２を介し固定部材２内に導かれ中央位置でテンションバネ１３により相互に連結され、他側は挿通後開閉部材３内に導かれプーリ１４，１４を介し相互に開閉部材３の反対側まで案内された後プーリ１５，１５を介して摺動部材７，７を通って枠体４，４内に導かれ枠体４，４の駆動箱５側端部に付勢力調節装置１６Ａを介して固定されて、シェードシート」１の開閉位置を任意に設定する手段１６を構成している。」（第７頁第１〜１３行）。
　甲第２号証〜甲第４号証については、上記２．（３）で示したとおりであり、甲第１号証も、本件請求項１に係る発明を特定する事項である「ネットからなるプリーツ状スクリーン部材の上端部に自重により当接するシーリングパネルとからなる」点を備えておらず、この点により請求項１に係る発明は、「密閉性を向上させた網戸として利用可能なプリーツ状スクリーン装置が提供される」という格別な効果を奏するものである。
　
　したがって、上記訂正後の本件請求項１〜３に係る発明は、甲第１号証ないし甲第４号証に記載されたいづれの発明と同一であるとも、或いは甲第１号証ないし甲第４号証に記載された発明に基づいて当業者が容易に発明をすることができたものとすることもできない。
　また、他に本件請求項１〜３に係る発明の特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年５月８日（２０００．５．８）
【訂正の要旨】
訂正の要旨（平成１０年異議第７４３１３号）
　特許権者が求める特許明細書の訂正は、次の訂正からなる。
　訂正事項ａ：
　特許請求の範囲の請求項１〜２の記載を、
　「【請求項１】対向する一対の枠部を上下および左右に各々設けた枠体と、ワイヤー部材を方向転換させる複数の方向転換手段を内蔵し、かつ開閉方向にスライド移動自在なスライドバーと、一端部をスライドバーに、他端部をスライドバーに対向する１つの枠部に支持された、複数のプリーツ部を有する折り畳みおよび展開自在なプリーツ状スクリーン部材と、このプリーツ状スクリーン部材をその開閉方向に支持し、スライドバーの内部において内蔵された方向転換手段により折り返され、交差し、かつ開閉方向の一対の枠部内に１本ずつ挿通するように、対向する一対の枠部間に張設された２本の前記ワイヤー部材とからなることを特徴とするワイヤー・テンション・システムによるプリーツ状スクリーン装置。
　【請求項２】２本のワイヤー部材の間でプリーツ状スクリーン部材を開閉方向に貫通し、スライドバーの内部において内蔵された方向転換手段により折り返され、かつ開閉方向の枠部内に挿通するように、対向する一対の枠部間に張設した１本以上の中間ワイヤー部材を設けてなる請求項１のプリーツ状スクリーン装置。」から、
　「【請求項１】対向する一対の枠部を上下および左右に各々設けた枠体と、ワイヤー部材を方向転換させる複数の方向転換手段を内蔵し、かつ
水平
ネットからなる
水平
上下
され
左右
の各々に個別に固定されてこれら枠部
、プリーツ状スクリーン部材の上端部に自重により当接するシーリングパネル
　【請求項２】２本のワイヤー部材の間でプリーツ状スクリーン部材を
支持
上下
され
左右
され
　訂正事項ｂ：
　特許掲載公報第２欄第１５行〜第３欄第２行（段落【０００１】）及び同第４欄第１３〜１４行（段落【０００７】）の「かつカーテン、ブラインド、間仕切、網戸等の広範囲にわたっての利用を可能とした新しい」を、「かつ網戸として利用可能な」に訂正する。
　訂正事項ｃ：
　特許掲載公報第３欄第９行、１０行（段落【０００２】）及び同第３欄第２４行（段落【０００３】）の「図１１」を「図９」に訂正する。
　訂正事項ｄ：
　特許掲載公報第３欄第３０〜３２行（段落【０００４】）の「たとえば図１２および図１３に示したようなプリーツスクリーン装置が提案されてもいる。図１１に例示した」を、「たとえば図１０および図１１に示したようなプリーツスクリーン装置が提案されてもいる。図１０に例示した」に訂正する。
　訂正事項ｅ：
　特許掲載公報第３欄第３９行の「図１３」を「図１１」に、同欄第４３行（段落【０００５】）の「図１１」を「図９」に訂正する。
　訂正事項ｆ：
　特許掲載公報第４欄第１〜２行（段落【０００６】）の「図１２および図１３」を「図１０および図１１」に訂正する。
　訂正事項ｇ：
　特許掲載公報第４欄第４行（段落【０００６】）の「窓枠開口部、間仕切開口部等」を「窓枠開口部」に訂正する。
　訂正事項ｈ：
　特許掲載公報第４欄第２１〜３２行（段落【０００８】）の「かつ開閉方向にスライド移動自在なスライドバーと、一端部をスライドバーに、他端部をスライドバーに対向する１つの枠部に支持された、複数のプリーツ部を有する折り畳みおよび展開自在なプリーツ状スクリーン部材と、このプリーツ状スクリーン部材をその開閉方向に支持し、スライドバーの内部において内蔵された方向転換手段により折り返され、交差し、かつ開閉方向の一対の枠部内に１本ずつ挿通するように、対向する一対の枠部間に張設された２本の前記ワイヤー部材とからなることを特徴とするワイヤー・テンション・システムによるプリーツ状スクリーン装置を提供する。」を、「かつ
水平
ネットからなる
水平
上下
され
左右
の各々に個別に固定されてこれら枠部
、プリーツ状スクリーン部材の上端部に自重により当接するシーリングパネル
　訂正事項ｉ：
　特許掲載公報第４欄第４０〜４１行（段落【００１０】）の「これらの例は、水平方向に開閉自在としたプリーツ状スクリーン装置を示したものである。」を削除する。
　訂正事項ｊ：
　特許掲載公報第５欄第２４〜２７行（段落【００１２】）の「プリーツ状スクリーン部材（１３）の材質については特に制限はなく、プリーツ（１２）を形成することのできる織布、シート、フィルム、ネット等の適宜なものとすることができる。」を、「プリーツ状スクリーン部材（１３）はネットからなる。」に訂正する。
　訂正事項ｋ：
　特許掲載公報第５欄第３０行の「そのプリーツ状」を「プリーツ状」に、同欄第４０行（段落【００１３】）の「枠部（３）に固定されている。」を「枠部（３）に個別に固定されている。」に、それぞれ訂正する。
　訂正事項ｌ：
　特許掲載公報第６欄第２〜５行（段落【００１４】）の「そして、枠部（４）の内部において固定金具（１８）により固定されている。これらのワイヤー部材（１５）（１６）の材質についても格別の限定はなく、」を「そして、枠部（４）の内部において固定金具（１８）により上側のワイヤー部材（１５）とは別個に固定されている。これらのワイヤー部材（１５）（１６）の材質については特に制限はなく、」に訂正する。
　訂正事項ｍ：
　特許掲載公報第６欄第１５〜１８行の「上側の枠部（１）の内部に、密閉性を向上させるためのシーリングパネル（１９）をその自重によりプリーツ状スクリーン部材（１３）の上端緑部に当接させてもいる。」を「上側の枠部（１）の内部に、網戸としての使用を考慮し、密閉性を向上させるために、シーリングパネル（１９）をその自重によりプリーツ状スクリーン部材（１３）の上端緑部に当接させてもいる。」に、同欄第４９行（段落【００１５】）の「形成」を「開放」に、それぞれ訂正する。
　訂正事項ｎ：
　特許掲載公報第７欄第５〜６行の「上記したように」を「上記したような」に、同欄第１８行（段落【００１６】）の「揺動刷る」を「揺動する」に、それぞれ訂正する。
　訂正事項ｏ：
　特許掲載公報第７欄第２６〜２７行（段落【００１７】）の「することができ、たとえば窓枠開口部、間仕切開口部等に配設した場合に、」を「することができ、窓枠開口部に配設した場合に、」に訂正する。
　訂正事項ｐ：
　特許掲載公報第７欄第３４〜３５行（段落【００１８】）の「中央部で支持する１本の中間ワイヤー部材（２１）を配設している。」を「中央部で支持する中間ワイヤー部材（２１）を１本配設している。」に訂正する。
　訂正事項ｑ：
　特許掲載公報第８欄第１行及び第７〜８行の５中間ワイヤー部材（１８）」を「中間ワイヤー部材（２１）」に、同欄第５〜６行の「その材質により温度等の影響による変形する」を「温度等の影響を受けて変形する」に、同欄第１７行の「内部の、中間ワイヤー」を「内部の中間ワイヤー」（段落【００１８】）に、それぞれ訂正する。
　訂正事項ｒ：
　特許掲載公報第９欄第６行（段落【００２３】）の「これとは反対に、」を「一方、」に訂正する。
　訂正事項ｓ：
　特許掲載公報第９欄第１４行（段落【００２３】）の後に、「これらワイヤー部材（１５）（１６）は、枠部（３）（４）に個別に固定される。」を追加する。
　訂正事項ｔ：
　特許掲載公報第９欄第２７行〜第１０欄第６行（段落【００２５】〜【００２８】）の「【００２５】さらにこの発明においては、図１、図４および図６に例示した装置と同様の構成および構造で垂直方向に開閉自在なプリーツ状スクリーン装置とすることも可能である。これについて例示したものが図９および図１０である。これらの図９および図１０に例示したように、この発明においては、プリーツ状スクリーン部材（１３）を上方から引き下げ、あるいはまた下方から引き上げ、展開させて、開口部（２０）を遮蔽することができる。なお、この場合には、戸車（１１）およびシーリングプレート（１３）は必ずしも必要でないことから、省略することが可能である。
　【００２６】以上に例示したこの発明のプリーツ状スクリーン装置は、一般の窓用のカーテンやブラインドの他、天窓等の傾斜窓や車両用窓のカーテンやブラインド４０としても、また、住宅、オフィスビル等の間仕切としても利用することができる。さらには、衝立、防虫用の網戸などとして利用することも可能である。なお、スライドバー（５）のスライド移動は、取っ手（１０）による人手の他に、従来のような操作コードや、適宜な駆動手段を組み込んで電動駆動させる電動方式などの任意のものを採用することができる。
　【００２７】もちろんこの発明は、以上の例によって限定されるものではない。細部については様々な態様が可能であることはいうまでもない。
　【００２８】【発明の効果】以上詳しく説明した通り、この発明によって、スムーズな開閉操作を簡便かつ容易に行うことができ、かっカーテン、ブラインド、間仕切等の広範囲にわたっての利用を可能としたプリーツ状スクリーン装置が提供される。」を、
「【００２５】以上に例示したこの発明のプリーツ状スクリーン装置は、防虫用の網戸としての利用が可能となる。なお、スライドバー（５）のスライド移動には、取っ手（１０）による人手の他に、従来のような操作コードや、適宜な駆動手段を組み込んで電動駆動させる電動方式などの任意のものを採用することができる。
　【００２６】もちろんこの発明は、以上の例によって限定されるものではない。細部については様々な態様が可能であることはいうまでもない。
　【００２７】以上詳しく説明した通り、この発明によって、スムーズな開閉操作を簡便かつ容易に行うことができ、かっ網戸として利用可能なプリーツ状スクリーン装置が提供される。」に訂正する。
　訂正事項ｕ：
　特許掲載公報第１０欄第２４〜３４行（【図面の簡単な説明】）の
「【図９】垂直開閉方式のこの発明のワイヤーテンション・システムによるプリーツ状スクリーン装置を例示した正面図である。
　【図１０】垂直開閉方式のプリーツ状スクリーン装置の別の例を示した正面図である。
　【図１１】従来のプリーツスクリーン装置を例示した正面図である。
　【図１２】従来のプリーツスクリーン装置を例示した斜視図である。
　【図１３】従来のプリーツスクリーン装置を例示した斜視図である。」を、
「【図９】従来のプリーツスクリーン装置を例示した正面図である。
　【図１０】従来のプリーツスクリーン装置を例示した斜視図である。
　【図１１】従来のプリーツスクリーン装置を例示した斜視図である。」に訂正する。
　訂正事項ｖ：
　添付図面の【図９】及び【図１０】を削除し、【図１１】を【図９】に、【図１２】を【図１０】に、【図１３】を【図１１】に、それぞれ訂正する。
（５４）【発明の名称】
ワイヤー・テンション・システムによるプリーツ状スクリーン装置
（５７）【特許請求の範囲】
　【請求項１】　対向する一対の枠部を上下および左右に各々設けた枠体と、ワイヤー部材を方向転換させる複数の方向転換手段を内蔵し、かつ
水平
ネットからなる
水平
上下
され
左右
の各々に個別に固定されてこれら枠部
、プリーツ状スクリーン部材の上端部に自重により当接するシーリングパネルと
　【請求項２】　２本のワイヤー部材の間でプリーツ状スクリーン部材を
支持
上下
され
左右
され
　【請求項３】　スライドバーまたはプリーツ状スクリーン部材支持用の枠部にプリーツ状スクリーン部材収納部を設けてなる請求項１または２のプリーツ状スクリーン装置。
【発明の詳細な説明】
　【０００１】
　　【産業上の利用分野】
　この発明は、ワイヤー・テンション・システムによるプリーツ状スクリー
ン装置に関するものである。さらに詳しくは、この発明は、スムーズな開閉操作を簡便かつ容易に行うことができ、か
つ網
として
用可
な
　【０００２】
　　【従来の技術】
　従来より、住宅、オフィスビル等の窓部や間仕切部などにおいては、種々の構成と構造を有するカーテン、ブラインド、可動間仕切、衝立等が用いられてきており、たとえば図
９
　たとえばこの図
９
　【０００３】
　　【発明が解決しようとする課題】
　しかしながら、たとえばこの図
９
　【０００４】
　これに対し、たとえば図
１０
１１
　図
１０
　【０００５】
　また、図
１１
９
　【０００６】
　しかしながら、これらの図
１０
１１
部に
　【０００７】
　この発明は、以上の通りの事情に鑑みてなされたものであり、従来のプリーツスクリーン装置の欠点を解消し、スムーズな開閉操作を簡便かつ容易に行うことができ、か
つ網
として
用可
な
　【０００８】
　　【課題を解決するための手段】
　この発明は、上記の課題を解決するものとして、対向する一対の枠部を上下および左右に各々設けた枠体と、ワイヤー部材を方向転換させる複数の方向転換手段を内蔵し、かつ
水平
ネットからなる
水平
上下
され
左右
の各々に個別に固定されてこれら枠部
、プリーツ状スクリーン部材の上端部に自重により当接するシーリングパネルと
　【０００９】
　　【実施例】
　以下、図面に沿って実施例を示し、この発明のワイヤー・テンション・システムによるプリーツ状スクリーン装置についてさらに詳しく説明する。
　図１および図２は、各々、この発明のワイヤー・テンション・システムによるプリーツ状スクリーン装置の」実施例を示した一部切欠正面図および平面図である。
　【００１０】
　
こ
　この枠体の上下の枠部（１）（２）の間には、スライドバー（５）を水平方向にスライド移動自在に配設している。この場合、枠部（１）（２）は、スライドバー（５）のスライドガイドとして使用することができる。また、このスライドバー（５）は、必ずしも枠部（１）（２）に対して垂直にスライド移動自在とする必要はなく、枠部（１）（２）に対して傾斜してスライド移動自在としてもよい。設置する部位の形状等の状態に応じて適宜な角度とすることができる。
　【００１１】
　スライドバー（５）の内部には、後述するワイヤー部材の方向を転換するためのグライドピース（６ａ）（６ｂ）（７ａ）（７ｂ）を上下に一対ずつ設けている。また、図２に例示したように、スライドバー（５）には、後述するプリーツ状スクリーン部材を支持、収納するための支持部（８）および収納部（９）を各々設けており、しかも人手によりスライド移動させるための取っ手（１０）を有してもいる。さらに、図１に例示したように、スライドバー（５）の下端部には、戸車（１１）を回転自在に配設している。この戸車（１１）によりスライドバー（５）のスライド移動を円滑に行うことができる。
　【００１２】
　スライドバー（５）および左側の枠部（３）の間には、複数のプリーツ部（１２）を有する折り畳みおよび展開自在としたプリーツ状スクリーン部材（１３）を配設している。このプリーツ状スクリーン部材（１３）の左右両端部には、図２に示したような支持部材（１４）を取り付けており、この支持部材（１４）を介してプリーツ状スクリーン部材（１３）が、枠部（３）およびスライドバー（５）の支持部（８）にしっかりと支持されるようにしている。プリーツ状スクリーン部材（１３）
は
からなる
　【００１３】
　図１に示したように、プリーツ状スクリーン部材（１３）には、これを支持する上下一対のワイヤー部材（１５）（１６）が
、プ
個別に
　【００１４】
　上側のワイヤー部材（１５）は、プリーツ状スクリーン部材（１３）を水平方向に支持した後に、上記したスライドバー（５）に内蔵されたグライドピース（７ａ）により折り返され、かつスライドバー（５）下端部に設けた別のグライドピース（６ｂ）に掛け渡され、再び折り返されて、下側のガイド用枠部（２）内を挿通する。そして、右側の枠部（４）に固定される。一方、下側のワイヤー部材（１６）は、プリーツ状スクリーン部材（１３）を水平方向に支持し、スライドバー（５）に内蔵されたグライドピース（７ｂ）（６ａ）により折り返され、ワイヤー部材（１５）と交差して上側の枠部（１）内部を挿通する。そして、枠部（４）の内部において固定金具（１８）により
上側のワイヤー部材（１５）とは別個に
は特に制限
　【００１５】
　また図１に示したように、この例においては、上側の枠部（１）の内部に、
網戸としての使用を考慮し、
に、
　たとえば以上の構成を有するこの発明のワイヤー・テンション・システムによるプリーツ状スクリーン装置においては、スライドバー（５）に内蔵されたグライドピース（６ａ）（６ｂ）（７ａ）（７ｂ）によって、ワイヤー部材（１５）（１６）を方向転換させ、交差させることができ、左右の枠部（３）（４）の間に所定の張力で張設することができる。また、ワイヤー部材（１５）（１６）は、グライドピース（６ａ）（６ｂ）（７ａ）（７ｂ）上を滑らかに滑ることができるため、スライドバー（５）が水平方向に容易に移動することができ、しかもスライドバー（５）の移動により、ワイヤー部材（１５）（１６）のプリーツ状スクリーン部材（１３）側および開口部（２０）側の水平長さを自在に変更させることが可能となる。このようなワイヤー部材（１５）（１６）のプリーツ状スクリーン部材（１３）側の水平長さの変更によって、プリーツ状スクリーン部材（１３）をガイドしつつ、その折り畳み、あるいは展開が可能となる。すなわち、スライドバー（１５）を枠部（４）側にスライド移動させると、ワイヤー部材（１５）（１６）のプリーツ状スクリーン部材（１３）側の水平長さが長くなり、折り畳まれていたプリーツ状スクリーン部材（１３）が、そのプリーツ部（１２）が引き伸ばされて、展開する。これによって、プリーツ状スクリーン部材（１３）を閉めることができ、開口部（２０）を遮閉することができる。一方、スライドバー（５）を枠部（３）側にスライド移動させると、今度は、ワイヤー部材（１５）（１６）のプリーツ状スクリーン部材（１３）側の水平長さが短くなり、プリーツ状スクリーン部材（１３）がそのプリーツ部（１２）で押し縮められ、折り畳まれる。このようにして、プリーツ状スクリーン部材（１３）を開けることができ、開口部（２０）を
開放
　【００１６】
　プリーツ状スクリーン部材（１３）は、上記したよう
な
す
　【００１７】
　そして、開口部（２０）側のワイヤー部材（１５）（１６）は、各々、上下の枠部（１）（２）の内部に挿通されているため、プリーツ状スクリーン部材（１３）を開けた時に、ワイヤー部材（１５）（１６）が開口部（２０）に露出することはない。このため、外観を良好なものとすることができ
、窓
部に
　【００１８】
　図４は、この発明のワイヤー・テンション・システムによるプリーツ状スクリーン装置の別の例を示した一部切欠正面図である。
　この例においては、プリーツ状スクリーン部材（１３）をその上下部において水平方向に支持するワイヤー部材（１５）（１６）の他に、プリーツ状スクリーン部材（１３）の中央部で支持す
る中
１本
　【００１９】
　中間ワイヤー部材（２１）の一端部は、プリーツ状スクリーン部材（１３）固定用の枠部（３）に、たとえば図２に示したようなワイヤー部材（１５）固定用の固定金具（１７）等により固定されている。また、この中間ワイヤー部材（２１）は、スライドバー（５）に内蔵されたミッドウェイグライド（２２）により上方へと折り返され、方向を変えている。そして、スライドバー（５）のグライドピース（６ａ）に掛け渡され、このグライドピース（６ａ）により再び折り返されて、上側の枠部（１）に挿通し、ワイヤー部材（１６）とともに、固定金具（１８）を介して枠部（４）に固定されている。
　【００２０】
　この中間ワイヤー部材（
２１
が、温
を受けて
２１
の中
　【００２１】
　図６は、この発明のまた別の例を示した一部切欠平面図である。
　この例においては、ワイヤー部材（１５）　（１６）および中間ワイヤー部材（２１）をスライドバー（５）内部において折り返し、交差させて、左右の枠部（３）（４）の間に張設するための方向転換手段として、プーリー（２５）を採用し、回転自在に配設している。このプーリー（２５）により、ワイヤー部材（１５）　（１６）および中間ワイヤー部材（２１）を所定の張力で枠部（３）（４）間に張ることができる。
　【００２２】
　図７は、この発明のさらにまた別の例をその構成について示した平面図である。
　この例は、左右一対の枠部（３）（４）の間に、上記したようなプリーツ状スクリーン装置を左右対称に２つ配設した両開き式の装置を示している。
　すなわち、左側のプリーツ状スクリーン装置（２６）の場合には、枠部（３）とスライドバー（５ａ）の間にプリーツ状スクリーン部材（１３ａ）を折り畳みおよび展開自在に設けている。また同様に、右側のプリーツ状スクリーン装置（２７）には、枠部（４）とスライドバー（５ｂ）の間にプリーツ状スクリーン部材（１３ｂ）を折り畳みおよび展開自在に設けてもいる。
　【００２３】
　図８は、図７に例示した両開き式のプリーツ状スクリーン装置のワイヤー部材等の構成を示した構成図である。
　一端部を枠部（３）に固定し、かつ、プリーツ状スクリーン装置（２６）のプリーツ状スクリーン部材（１３ａ）の上部を水平方向に支持するワイヤー部材（１５）は、スライドバー（５ａ）の内部において方向転換され、開口部（２０）の下方に設けた枠部（図示せず）内部を挿通する。そして、もう一方のプリーツ状スクリーン装置（２７）のスライドバー（５ｂ）の内部において、再び方向転換されて、プリーツ状スクリーン部材（１３ｂ）の上部を水平方向に支持し、枠部（４）に固定される。
一方、
これらワイヤー部材（１５）（１６）は、枠部（３）（４）に個別に固定される。
　【００２４】
　このようなワイヤー部材（１５）（１６）の構成とすることにより、図７に例示したようなワイヤー・テンション・システムによる両開き式のプリーツ状スクリーン装置が可能となり、また、プリーツ状スクリーン装置（２６）（２７）のプリーツ状スクリーン部材（１３ａ）（１３ｂ）をスムーズかつ安定に開閉することができる。なお、この場合、ワイヤー部材（１５）（１６）が長くなることによるプリーツ状スクリーン装置（２６）（２７）の傾き、ぶれ、歪み等を防止するために、開口部（２０）において、上下のワイヤー部材（１５）（１６）のいずれか一方または両方を支持するようにしてもよい。
　【００２５】
　
以上に例示したこの発明のプリーツ状スクリーン装置は、防虫用の網戸としての利用が可能となる　なお、スライドバー（５）のスライド移動には、取っ手（１０）による人手の他に、従来のような操作コードや、適宜な駆動手段を組み込んで電動駆動させる電動方式などの任意のものを採用することができる。
　【００２６】
　
もちろんこの発明は、以上の例によって限定されるものではない一細部については様々な態様が可能であることはいうまでもない。
　【００２７】
　　【発明の効果】
　
以上詳しく説明した通り、この発明によって、スムーズな開閉操作を簡便かつ容易に行うことができ、かつ網戸として利用可能なプリーツ状スクリーン装置が提供される。
【図面の簡単な説明】
　　【図１】
　この発明のワイヤー・テンション・システムによるプリーツ状スクリーン装置の一実施例を示した一部切欠正面図である。
　　【図２】
　図１の例の平面図である。
　　【図３】
　図１に例示した収納部の配置構成についての別の例を示した平面図である。
　　【図４】
　この発明のプリーツ状スクリーン装置の別の例を示した一部切欠正面図である。
　　【図５】
　図４に例示した中間ワイヤー部材を配設する場合の別の例を示した構成図である。
　　【図６】
　この発明のまた別の例を示した一部切欠平面図である。
　　【図７】
　この発明のさらにまた別の例をその構成について示した平面図である。
　　【図８】
　図７に例示した両開き式のプリーツ状スクリーン装置のワイヤー部材等の構成を示した構成図である。
　　【図９】
　
従来のプリーツスクリーン装置を例示した正面図である。
　　【図１０】
　
従来のプリーツスクリーン装置を例示した斜視図である。
　　【図１１】
　
従来のプリーツスクリーン装置を例示した斜視図である。
　　【符号の説明】
　　　　１，２，３，４　　枠部
　　　　５，５ａ，５ｂ　　スライドバー
　　　　６ａ，６ｂ，７ａ，７ｂ　　グライドピース
　　　　８　　支持部
　　　　９　　収納部
　　　１０　　取っ手
　　　１１　　戸車
　　　１２　　プリーツ部
　　　１３，１３ａ，１３ｂ　　プリーツ状スクリーン部材
　　　１４　　支持部材
　　　１５，１６　　ワイヤー部材
　　　１７　　固定金具
　　　１８　　固定金具
　　　１９　　シーリングパネル
　　　２０　　開口部
　　　２１，２３，２４　　中間ワイヤー部材
　　　２２　　ミッドウェイグライド
　　　２５　　プーリー
　　　２６，２７　　プリーツ状スクリーン装置